(57)【要約】【課題】使い勝手が良好で不要な電力の消費を防止できる再生システムを提供する。【解決手段】操作部における利用者の入力操作にて、再生端末装置のいずれかに切り替える切替要求を認識すると、メモリに記憶する順番情報７１０に従って次の再生端末装置を動作させる状態に切り替える。現在日時が、地上波アナログテレビ放送波の配信中止に対応して配信を中止する日時に応じてテレビチューナー部を動作させない状態に設定する日時情報における中止する日時が過ぎた場合、順次切り替えてもテレビチューナー部を動作させない状態に設定する。利用者によるテレビチューナー部を動作させない煩雑な設定を防止しつつ、テレビチューナー部の不要な動作による電力の不要な消費を防止できる。【選択図】図３
2007201531.tif 000002
【特許請求の範囲】
【請求項１】
コンテンツデータを再生可能に処理する再生端末装置が複数接続可能で、前記再生端末装置のいずれかを動作させて前記コンテンツデータを出力手段で再生させる切替制御装置であって、
現在日時を認識する現在日時認識手段と、
前記再生端末装置のいずれかによる前記コンテンツデータの処理を中止する日時に関する日時情報を記憶する記憶手段と、
入力操作による前記接続される再生端末装置のいずれかに切り替える切替要求を認識する切替要求認識手段と、
この切替要求認識手段にて前記切替要求を認識すると、現時点で動作されている前記再生端末装置と異なる他の前記再生端末装置を動作させる状態に切り替えるソース切替手段と、を具備し、
前記ソース切替手段は、前記記憶手段に記憶された日時情報に基づいて、切り替える前記他の再生端末装置が前記コンテンツデータの処理の中止対象である場合、前記現在日時認識手段にて認識する現在日時が前記日時情報の中止する日時を経過していることを認識すると、前記他の再生端末装置を動作させない状態として、さらに他の前記再生端末装置を動作させる状態に切り替える処理をする
ことを特徴とした切替制御装置。
【請求項２】
請求項１に記載の切替制御装置であって、
前記記憶手段は、前記切替要求を認識する毎に次に動作させる前記再生端末装置の順番に関するソース切替順情報を記憶し、
前記ソース切替手段は、前記記憶手段に記憶された順番に従って動作させる前記再生端末装置を切り替える処理をするとともに、次に切り替える前記再生端末装置が前記コンテンツデータの処理の中止対象である場合、その再生端末装置を動作させることなく次の順番となる前記再生端末装置を動作させる状態に切り替える処理をする
ことを特徴とした切替制御装置。
【請求項３】
請求項１または請求項２に記載の切替制御装置であって、
前記接続される再生端末装置に対応し前記コンテンツデータの処理を実施させる前記再生端末装置のいずれかに切り替える入力操作を促すアイコンを表示手段に画面表示させる表示制御手段を具備し、
前記ソース切替手段は、前記現在日時認識手段にて認識する現在日時が前記日時情報の中止する日時を経過していることを認識すると、その再生端末装置に対応したアイコンを前記表示制御手段にて画面表示させない状態に処理する
ことを特徴とした切替制御装置。
【請求項４】
請求項１ないし請求項３のいずれかに記載の切替制御装置であって、
前記ソース切替手段により動作させない状態とした前記再生端末装置について、入力操作により動作可能な状態に設定するための入力操作を促す表示を表示手段に画面表示させる表示制御手段を具備した
ことを特徴とした切替制御装置。
【請求項５】
請求項１ないし請求項４のいずれかに記載の切替制御装置であって、
前記ソース切替手段は、前記再生端末装置を動作させない状態として、電力の供給を遮断する処理をする
ことを特徴とした切替制御装置。
【請求項６】
演算手段により、コンテンツデータを再生可能に処理する再生端末装置が複数接続され前記処理されたコンテンツデータを出力装置で再生させる再生装置における前記再生端末装置のいずれかを動作させて前記コンテンツデータを再生させる切替制御方法であって、
前記演算手段は、
入力操作による前記接続される再生端末装置のうち現時点で動作されている前記再生端末装置と異なる他のいずれかの前記再生端末装置を動作させる状態に切り替える切替要求を認識すると、現在日時に関する現在日時情報と前記再生端末装置のいずれかによる前記コンテンツデータの処理を中止する日時に関する日時情報とを取得し、
これら取得した現在日時情報と日時情報との日時を比較して前記現在日時が前記中止する日時を経過しているか否かを判断し、
この判断により前記現在日時が前記中止する日時を経過していることを認識すると、切り替える前記再生端末装置を動作させない状態としてさらに他の前記再生端末装置を動作させる状態に切り替える処理をする
ことを特徴とする切替制御方法。
【請求項７】
演算手段を請求項１ないし請求項５のいずれかに記載の切替制御装置として機能させる
ことを特徴とした切替制御プログラム。
【請求項８】
請求項７に記載の切替制御プログラムが演算手段にて読取可能に記録された
ことを特徴とした切替制御プログラムを記録した記録媒体。
【請求項９】
請求項１ないし請求項５のいずれかに記載の切替制御装置と、
前記再生端末装置のいずれかに切り替える切替要求を入力操作可能で入力操作に応じた操作信号を出力する操作手段と、
を具備したことを特徴とした再生装置。
【請求項１０】
移動体に搭載され前記移動体の移動を案内誘導する案内誘導装置であって、
請求項１ないし請求項５のいずれかに記載の切替制御装置と、
航法電波を受信するとともに前記移動体の移動状態に関する移動情報を取得して前記移動体を案内誘導するための案内情報を演算する案内誘導手段とを具備し、
前記切替制御装置の計時手段は、前記航法電波に基づいて現在日時を認識する
ことを特徴とした案内誘導装置。
【発明の詳細な説明】
【技術分野】
【０００１】
本発明は、複数の再生端末装置のうちいずれかを動作させてコンテンツデータを再生させる切替制御装置、その方法、そのプログラム、そのプログラムを記録した記録媒体、再生装置、および、案内誘導装置に関する。
【背景技術】
【０００２】
従来、例えば音楽や映像などのコンテンツデータを再生する再生装置として、操作ボタンを操作してソースを切り替える構成が知られている（例えば、特許文献１参照）。
この特許文献１に記載のものは、オーディオソースの切替を指示するソースキーが押し下げ操作されると、変数ｎに１を加算し、ソース選択テーブルにおけるｎ番目のソースに切り替え、順次ソースを切り替える構成が採られている。
【０００３】
【特許文献１】特開２００１−３０９４８１号公報
【発明の開示】
【発明が解決しようとする課題】
【０００４】
しかしながら、上記特許文献１に記載のようなソースキーの押し下げ操作により順次ソースを切り替える際に、例えば地上波アナログテレビジョン放送などの配信が中止されるソースがある場合、配信が中止された後も順次ソースが切り替えられ、地上波アナログテレビジョン放送を再生する処理が実行され、その度にさらにソースを切り替える操作が必要となり、煩雑となるとともに、電力を不要に消費する問題がある。
【０００５】
本発明は、このような実情などに鑑みて、使い勝手が良好で不要な電力の消費を防止する切替制御装置、その方法、そのプログラム、そのプログラムを記録した記録媒体、再生装置、および、案内誘導装置を提供することを１つの目的とする。
【課題を解決するための手段】
【０００６】
請求項１に記載の発明は、コンテンツデータを再生可能に処理する再生端末装置が複数接続可能で、前記再生端末装置のいずれかを動作させて前記コンテンツデータを出力手段で再生させる切替制御装置であって、現在日時を認識する現在日時認識手段と、前記再生端末装置のいずれかによる前記コンテンツデータの処理を中止する日時に関する日時情報を記憶する記憶手段と、入力操作による前記接続される再生端末装置のいずれかに切り替える切替要求を認識する切替要求認識手段と、この切替要求認識手段にて前記切替要求を認識すると、現時点で動作されている前記再生端末装置と異なる他の前記再生端末装置を動作させる状態に切り替えるソース切替手段と、を具備し、前記ソース切替手段は、前記記憶手段に記憶された日時情報に基づいて、切り替える前記他の再生端末装置が前記コンテンツデータの処理の中止対象である場合、前記現在日時認識手段にて認識する現在日時が前記日時情報の中止する日時を経過していることを認識すると、前記他の再生端末装置を動作させない状態として、さらに他の前記再生端末装置を動作させる状態に切り替える処理をすることを特徴とした切替制御装置である。
【０００７】
請求項６に記載の発明は、演算手段により、コンテンツデータを再生可能に処理する再生端末装置が複数接続され前記処理されたコンテンツデータを出力装置で再生させる再生装置における前記再生端末装置のいずれかを動作させて前記コンテンツデータを再生させる切替制御方法であって、前記演算手段は、入力操作による前記接続される再生端末装置のうち現時点で動作されている前記再生端末装置と異なる他のいずれかの前記再生端末装置を動作させる状態に切り替える切替要求を認識すると、現在日時に関する現在日時情報と前記再生端末装置のいずれかによる前記コンテンツデータの処理を中止する日時に関する日時情報とを取得し、これら取得した現在日時情報と日時情報との日時を比較して前記現在日時が前記中止する日時を経過しているか否かを判断し、この判断により前記現在日時が前記中止する日時を経過していることを認識すると、切り替える前記再生端末装置を動作させない状態としてさらに他の前記再生端末装置を動作させる状態に切り替える処理をすることを特徴とする切替制御方法である。
【０００８】
請求項７に記載の発明は、演算手段を請求項１ないし請求項５のいずれかに記載の切替制御装置として機能させることを特徴とした切替制御プログラムである。
【０００９】
請求項８に記載の発明は、請求項７に記載の切替制御プログラムが演算手段にて読み取り可能に記憶されたことを特徴とする切替制御プログラムを記録した記録媒体である。
【００１０】
請求項９に記載の発明は、請求項１ないし請求項５のいずれかに記載の切替制御装置と、前記再生端末装置のいずれかに切り替える切替要求を入力操作可能で入力操作に応じた操作信号を出力する操作手段と、を具備したことを特徴とした再生装置である。
【００１１】
請求項１０に記載の発明は、移動体に搭載され前記移動体の移動を案内誘導する案内誘導装置であって、請求項１ないし請求項５のいずれかに記載の切替制御装置と、航法電波を受信するとともに前記移動体の移動状態に関する移動情報を取得して前記移動体を案内誘導するための案内情報を演算する案内誘導手段とを具備し、前記切替制御装置の計時手段は、前記航法電波に基づいて現在日時を認識することを特徴とした案内誘導装置である。
【発明を実施するための最良の形態】
【００１２】
以下、本発明の一実施の形態を図面に基づいて説明する。本実施の形態では、本発明の切替制御装置を備え各種再生端末装置が接続された再生装置としても機能する再生システムを例示して説明するが、これに限られず、複数の処理を実施するいずれの構成でも適用できる。そして、コンテンツの処理としては、再生のみに限らず、コンテンツデータを記録する処理を実施する構成としてもよい。また、再生端末装置の接続状態は、本実施の形態に限らず、いずれかが接続された構成や、例えば、ＭＤ（Mini Disc）プレーヤや、着脱可能なメモリが装着されてメモリに記憶されたコンテンツを再生する端末装置、ゲーム機器など、他の構成が接続される構成でもよい。
さらに、再生システムとして、移動体としての車両に搭載されて車両の移動である走行をも案内誘導して走行支援可能な再生システムを例示して説明するが、案内誘導するナビゲーション機能を搭載した構成を備えない構成や音響装置のみの構成などとしてもよい。なお、移動体としては、車両に限らず、航空機、船舶などいずれの移動体が対象となる。また、案内誘導装置として、いわゆるナビゲーション装置として車両に搭載される車載型の構成として例示するが、携帯型、ＰＤＡ（Personal Digital Assistant）、携帯電話、ＰＨＳ(Personal Handyphone System)、携帯型パーソナルコンピュータなど、各種構成が適用できる。なお、携帯型の場合、移動体としては案内誘導装置を携帯する携帯者が対象、すなわち携帯者の移動状況を案内する構成として適用される。
図１は、本発明の一実施の形態における再生装置の概略構成を示すブロック図である。
【００１３】
〔再生システムの構成〕
図１において、１００は移動体である車両に搭載される車載用の再生システムで、この再生システム１００は、音楽や音声、映像などの各種コンテンツデータを再生するとともに、移動体の移動である車両の走行を案内誘導して走行支援するシステムである。なお、移動体としては、上述したように、車両に限らず、飛行機、船舶などいずれの移動体が対象となる。
そして、再生システム１００は、出力装置としての表示部２００と、出力装置としてのスピーカ３００と、再生端末装置４００と、センサ部５００と、再生装置６００と、を備えている。
【００１４】
表示部２００は、再生装置６００に各種情報が送受信可能に接続されている。この表示部２００は、再生装置６００にて制御され再生装置６００から出力される静止画や映像などの画像データや映像データを画面表示する。
この表示部２００としては、例えば液晶パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。
【００１５】
スピーカ３００は、車両に搭載され再生装置６００に接続されている。このスピーカ３００は、再生装置６００から出力される音声データを発音により再生する。
【００１６】
再生端末装置４００は、再生装置６００に接続され、再生装置６００からの指令信号に基づいて、記録媒体に記録されたコンテンツデータや放送波として配信されるコンテンツデータを取得して再生のための処理をする。
この再生端末装置４００としては、例えば、ラジオチューナー部４１０、ＣＤ（Compact Disc）／ＤＶＤ（Digital Versatile Disc）プレーヤ４２０、テレビチューナー部４３０、ミュージックサーバ（Music Server：ＭＳＶ）処理部４４０などが例示できる。なお、再生端末装置４００としては、これらに限らず、例えば、ＨＤ（Hard Disk）プレーヤや、メモリカードプレーヤ、ＭＤ（Mini Disc）プレーヤ、カセットテーププレーヤ、ビデオテーププレーヤなど、各種構成が適用できる。なお、異なる記録媒体であるＣＤとＤＶＤとを処理可能なＣＤ／ＤＶＤプレーヤ４２０を例示したが、いずれか一方のみを処理可能な構成としてもよい。
【００１７】
ラジオチューナー部４１０は、ラジオ放送を再生するための装置である。このラジオチューナー部４１０は、再生装置６００からの指令信号に応じて、所定の周波数帯の放送波であるラジオ放送波を受信し、コンテンツデータである音声データを抽出して再生装置６００へ出力する。
【００１８】
ＣＤ／ＤＶＤプレーヤ４２０は、記録媒体であるＣＤやＤＶＤを再生するためのドライブ装置である。このＣＤ／ＤＶＤプレーヤ４２０は、再生装置６００からの指令信号に応じて、着脱可能に装着されたＣＤやＤＶＤに記録された所定のコンテンツデータである音声データ、あるいは音声データおよび映像データの双方を読み取り、適宜処理して再生装置６００へ出力する。
【００１９】
テレビチューナー部４３０は、テレビジョン（television：ＴＶ）放送を再生するための装置である。このテレビチューナー部４３０は、再生装置６００からの指令信号に応じて、所定の周波数帯の放送波であるテレビ放送波、本実施の形態では地上波アナログテレビ放送波を受信し、音声データおよび映像データを抽出して再生装置６００へ出力する。
【００２０】
ＭＳＶ処理部４４０は、メモリ６２１をデータベースとして記憶した音楽データや映像データなどのコンテンツデータを再生や記憶する処理を実施する。
例えば、ＭＳＶ処理部４４０は、メモリ６２１に適宜記憶されたプレイリストに従って適宜対象のコンテンツデータをメモリ６２１から読み取り、適宜処理して再生装置６００へ出力する。また、ＭＳＶ処理部４４０は、音楽データや映像データなどのコンテンツデータを配信する図示しないサーバ装置に、ネットワークを介して送受信可能に接続し適宜コンテンツデータを取得するための通信機能を備えている。そして、ＭＳＶ処理部４４０は、再生装置６００からの指令信号に応じて、適宜サーバ装置に送受信可能に接続し、サーバ装置に格納する所定のコンテンツデータをネットワークを介して受信し、適宜処理して再生装置６００へ出力し、適宜再生やメモリ６２１へ記憶させる。
ここで、ネットワークとしては、例えば、ＴＣＰ（Transmission Control Protocol）／ＩＰ（Internet Protocol）などの汎用のプロトコルに基づくインターネット、イントラネット、無線ＬＡＮ(Local Area Network)、無線媒体により情報が送受信可能な複数の基地局がネットワークを構成する通信回線網や放送網などのネットワークなどが例示できる。ここで、無線媒体としては、電波、光、音波、電磁波などのいずれの媒体をも適用できる。また、ＭＳＶ処理部４４０としては、携帯電話などの通信機器が着脱可能に適宜接続され、通信機器を介してサーバ装置に接続する構成とするなどしてもよい。
【００２１】
センサ部５００は、移動体である例えば車両の移動の状態、すなわち現在位置や走行状況などを検出して再生装置６００に所定の検出信号として出力する。このセンサ部５００は、例えば図示しない位置情報受信部と、交通情報受信部と、図示しない速度センサ、方位角センサおよび加速度センサなどの各種センサと、などにて構成されている。
位置情報受信部は、例えば図示しない人工衛星であるＧＰＳ（Global Positioning System）衛星から出力される航法電波を、図示しないＧＰＳアンテナにて受信する。そして、位置情報受信部は、受信した航法電波に対応した信号に基づいて現在位置の擬似座標値を演算し、ＧＰＳデータとして再生装置６００へ出力する。なお、受信する航法電波には現在日時に関する時刻情報も含まれている。
交通情報受信部は、図示しない道路交通情報通信システム、例えば２００６年１月現在で日本で利用されているＶＩＣＳ（Vehicle Information and Communication System；商標）センタから配信されるＶＩＣＳデータを図示しないＶＩＣＳアンテナにて受信し、交通に関する交通情報を受信する。具体的には、ＶＩＣＳセンタから例えばビーコンやＦＭ多重放送などを介して、渋滞、交通事故、工事、交通規制などのＶＩＣＳデータを取得する。そして、取得したＶＩＣＳデータは、再生装置６００へ所定の信号として出力される。
センサである速度センサは、移動体である例えば車両に配設され、車両の移動速度である走行速度に対応して変動する信号に基づいて、車両の走行速度や実際の加速度を検出する。この速度センサは、例えば車軸や車輪の回転により出力されるパルス信号や電圧値などを読み取る。そして、速度センサは、読み取ったパルス信号や電圧値などの検出信号を出力する。方位角センサは、車両に配設され、図示しないいわゆるジャイロセンサを有し、車両の方位角すなわち車両が前進する走行方向を検出し、走行方向に関する検出信号を出力する。加速度センサは、車両に配設され、車両の走行方向における加速度を検出し、検出した加速度を例えばパルスや電圧などによる検出信号であるセンサ出力値に変換して出力する。なお、センサとしては、これらの構成に限られるものではなく、速度センサ、方位角センサおよび加速度センサのうちのいずれか１つのみ、あるいは適宜の組み合わせ、さらに他のセンサを用いるなど、車両の移動状態を検出可能ないずれの構成が適用できる。なお、これら各種センサは、再生装置６００に搭載された構成としてもよい。
【００２２】
再生装置６００は、接続されている複数の再生端末装置４００のうち、いずれかを動作制御してコンテンツデータを表示部２００やスピーカ３００で再生させる処理をするとともに、センサ部５００からの検出信号に基づいて車両の走行状態を認識して移動を支援する処理をする。この再生装置６００は、操作手段としての操作部６１０と、本体部６２０と、を備えている。
【００２３】
操作部６１０は、本体部６２０に一体的に設けられ、利用者が入力操作可能に例えば本体部６２０の正面に位置する状態に配設された操作ボタンや操作つまみなどを備えている。そして、操作部６１０は、利用者による入力操作に応じた操作信号を接続された再生装置６００へ出力し再生装置６００で設定入力させる。また、本発明の操作手段としては、表示部２００に設けられた図示しないタッチパネルも対象とされ、このタッチパネルによる入力操作に応じた操作信号により、接続された再生装置６００で設定入力される。
この操作部６１０における入力操作としては、例えば、接続されている再生端末装置４００のうち、動作させる再生端末装置４００のいずれかに押動操作毎に順次切り替える切替操作、音量の大きさを変更する音量設定操作、表示状態を調整する表示調整操作、コンテンツデータを特定するコンテンツ選択操作、走行支援のための各種設定事項などが例示できる。
そして、本実施の形態では、再生端末装置４００の切替操作として、押動操作される切替ボタンの入力操作により操作信号として動作させる再生端末装置４００すなわちソースを切り替える切替要求信号が出力される構成と、表示部２００で例えば図２に示すように画面表示されるタッチパネルソース選択画面７００中の各再生端末装置４００に対応したアイコン７０１に応じてタッチパネルを操作することで、アイコン７０１に対応する再生端末装置４００を動作させる旨の切替要求信号が出力される構成と、の双方の処理が実施可能な構成を例示する。
なお、本発明の操作手段としては、操作ボタンや操作つまみの構成に限らず、例えば回転操作によりソースが順次切り替わる構成など、いずれの構成が適用できる。また、操作部６１０とタッチパネルとの双方を利用可能な構成に限らず、いずれか一方のみとしたり、さらには音声による入力操作、リモートコントローラにより入力操作に対応して送信される無線媒体の受信など各種設定事項を設定入力可能ないずれの構成としたりすることができる。
【００２４】
本体部６２０は、例えば矩形箱状の図示しない筐体内に配設された、記憶手段としてのメモリ６２１と、演算手段としての演算部６２２と、などを備えている。
メモリ６２１は、例えば操作部６１０における操作信号により演算部６２２で設定入力された事項や、取得したコンテンツデータ自体やプレイリスト、音楽データのみを処理する再生端末装置４００を動作させて音声データを再生する際に表示部２００で画面表示させる所定の画像データ、再生端末装置４００に対応したアイコン画像データ、メニュー画面、車両の走行を案内誘導するための地図情報などを記憶している。
なお、本発明の記憶手段としては、メモリ６２１の構成に限らず、例えばＨＤ（Hard Disk）、ＤＶＤなどの光ディスク、光磁気ディスク、メモリカードなどの各種記録媒体に読み出し可能に記憶するドライブやドライバなどを備えた構成としてもよい。例えば、停電などにより突然電源が落ちた際にも記憶が保持される構成のメモリであるＣＭＯＳ（Complementary Metal-Oxide Semiconductor）メモリなどを用いることが望ましい。また、地図情報としては、適宜配信される構成としてもよい。
【００２５】
また、メモリ６２１には、操作部６１０における利用者により、動作させる再生端末装置４００の切替要求が入力された場合に、動作させる再生端末装置４００の切り替える順番すなわち例えば図３に示すようにソース切替の順番に関する順番情報７１０が記憶されている。
具体的には、ラジオチューナー部４１０によるＡＭ（Amplitude Modulation：振幅変調方式）での周波数の処理、この次がラジオチューナー部４１０によるＦＭ（Frequency Modulation：周波数変調方式）での周波数の処理、この次がテレビチューナー部４３０、この次がＣＤが装着されたＣＤ／ＤＶＤプレーヤ４２０、この次がＤＶＤが装着されたＣＤ／ＤＶＤプレーヤ４２０、この次がＭＳＶ処理部４４０、この次が再びラジオチューナー部４１０によるＡＭでの周波数の処理に戻るループ状の順番で順次切り替わる。
この順番情報７１０は、例えば操作部６１０の操作により、適宜変更可能としてもよい。
【００２６】
さらに、メモリ６２１には、所定の再生端末装置４００の動作を所定の日時より中止する日時に関する日時情報が記憶されている。
この日時情報は、例えば再生端末装置４００を特定する例えばシリアル番号や固有名称情報などの特定情報と、この特定情報に一体的に関連付けられ中止する例えば「２００６／０１／０１」などの日時自体の期間情報と、を備えたデータ構造となっている。
この日時情報は、例えば操作部６１０の操作や配信される日時情報により、適宜変更可能としてもよい。また、日時情報は、各再生端末装置４００の特定情報毎に複数設けたテーブル構造で記憶されていてもよい。
なお、本実施の形態では、地上波アナログテレビ放送波のみを受信可能なテレビチューナー部４３０の動作を中止する日時情報が記憶された構成を例示する。具体的には、テレビチューナー部４３０に対応する特定情報と、地上波アナログテレビ放送波の配信が中止される日時である例えば２０１１年７月１日の０時である場合に「２０１１／０７／０１／００：００」と表される期間情報とを有した日時情報が記憶された構成を例示する。
【００２７】
演算部６２２は、例えばＣＰＵ（Central Processing Unit）を備え、再生システム１００全体における各種処理を実施する。
この演算部６２２は、再生システム１００全体を動作制御するＯＳ（Operating System）上に展開される各種プログラムとして、切替要求認識手段６２２Ａと、ソース切替部６２２Ｂと、ディスク（DISC）判別部６２２Ｃと、案内誘導手段６２２Ｄと、表示制御手段６２２Ｅと、現在日時認識手段としての計時手段６２２Ｆと、などを備えている。
【００２８】
切替要求認識手段６２２Ａは、操作部６１０からの操作信号における動作させる再生端末装置４００を切り替える旨の切替要求信号を認識、具体的には操作部６１０の切替ボタンの押動操作による切替要求信号や、表示部２００のタッチパネルの押圧操作による切替要求信号の有無を認識する。
そして、切替要求認識手段６２２Ａは、操作部６１０からの切替要求信号を認識すると、その旨の確認信号をソース切替部６２２Ｂへ出力する。
【００２９】
ソース切替部６２２Ｂは、切替要求認識手段６２２Ａからの切替要求信号を認識した旨の確認信号を認識すると、現時点で動作している再生端末装置４００と異なる再生端末装置４００を動作させる状態に切り替える処理をする。
具体的には、ソース切替部６２２Ｂは、操作部６１０の切替ボタンの押動操作に対応した切替要求信号に基づく確認信号を認識した場合、現時点で選択されて動作されている再生端末装置４００を判断する。すなわち、ＡＭ処理するラジオチューナー部４１０か、ＦＭ処理するラジオチューナー部４１０か、テレビチューナー部４３０か、ＣＤが装着されたＣＤ／ＤＶＤプレーヤ４２０か、ＤＶＤが装着されたＣＤ／ＤＶＤプレーヤ４２０か、ＭＳＶ処理部４４０かを判断する。
そして、ソース切替部６２２Ｂは、現時点で動作している再生端末装置４００と異なる他の再生端末装置４００に切り替える。この他の再生端末装置４００への切り替えとしては、上述したように、メモリ６２１に記憶された順番情報７１０に従った順番に切り替える。
この切替処理は、現時点で動作している再生端末装置４００への電力の供給を遮断するとともに、動作させる次の順番の再生端末装置４００へ電力を供給させて動作させる。
また、ソース切替部６２２Ｂは、表示部２００のタッチパネルの操作に対応した切替要求信号に基づく確認信号を認識した場合、タッチパネルの操作された所定の再生端末装置４００を動作させる状態に切り替える。すなわち、表示部２００で図２に示すように画面表示されるタッチパネルソース選択画面７００中の所定のアイコン７０１に応じてタッチパネルが操作され、このタッチパネル操作されたアイコン７０１に対応した再生端末装置４００を動作させる状態に切り替える切替要求信号に基づく確認信号により、対応する再生端末装置４００を動作させる切替処理をする。
【００３０】
また、ソース切替部６２２Ｂは、例えば電力の供給直後など、現時点では再生端末装置４００が動作していないことを認識すると、電源が投入される前に電源の供給により電源の供給が停止される直前に動作していた再生端末装置４００がいずれの再生端末装置４００かをメモリ６２１に記憶されているかを検索する。そして、従前に動作していた再生端末装置４００が認められた場合には、その従前の再生端末装置４００を動作させる設定をする。また、例えば初期状態など、メモリ６２１に従前に動作していた再生端末装置４００が記憶されていない場合には、例えば最初のグループの最初の順番となるラジオチューナー部４１０におけるＡＭ処理を実施させる処理をする。
なお、例えば図２に示すようなタッチパネルソース選択画面７００を表示させる状態に処理するなどしてもよい。
【００３１】
ディスク判別部６２２Ｃは、例えばＣＤ／ＤＶＤプレーヤ４２０に映像データを含まず音楽データが記録されＣＤが装着されて音声系として動作しているか、映像データを含むＤＶＤが装着されて映像系として動作しているかを判断する。すなわち、音声系として動作する場合、例えばメモリ６２１に記憶され表示部２００で画面表示させる所定の画像データを表示させる処理をするなど、音声系と映像系とで処理内容が異なるためである。
この音声系または映像系の判断は、具体的には、ディスク判別部６２２Ｃは、音声系および映像系の双方で機能し得るＣＤ／ＤＶＤプレーヤ４２０に装着されているディスク状記録媒体がＣＤかＤＶＤかを判断する。そして、ＣＤが装着されている場合には音声系と判断し、ＤＶＤが装着されている場合には映像系と判断し、それらの旨をソース切替部６２２Ｂへ出力する。
【００３２】
案内誘導手段６２２Ｄは、センサ部５００における各センサからの検出信号、ＧＰＳデータなどに基づいて、別途取得された地図情報上における車両の現在位置および走行方向を算出し、地図上における現在位置および走行方向を認識する。
また、案内誘導手段６２２Ｄは、例えば操作部６１０の入力操作により設定入力された目的地に関する目的地情報と、設定入力される経路設定のための設定事項情報と、地図情報とを取得し、車両の移動経路を演算してルート探索する。このルート探索は、設定事項情報に基づいて、交通規制や渋滞、渋滞予測などの交通情報であるＶＩＣＳデータなどを加味するか否か、最短距離、最短時間などの各種ルート探索のための要求に基づいて移動経路を演算する。
そして、案内誘導手段６２２Ｄは、地図情報やＶＩＣＳデータなどに基づいて、表示部２００やスピーカ３００で例えば移動状況や移動を支援するための誘導、交通情報、施設の内容などの情報など車両の走行支援のための案内情報を生成する。この案内情報としては、例えば、「７００ｍ先、○○交差点を△△方面右方向です。」、「移動経路から逸脱しました。」、「この先、渋滞です。」などとして音声出力させて報知したり、表示部２００を制御して案内情報における画像データを表示部２００で画面表示、例えば所定の矢印や記号などを画面表示させて報知させたりするための情報である。
【００３３】
表示制御手段６２２Ｅは、ソース切替部６２２Ｂや案内誘導手段６２２Ｄなどから出力される制御信号に基づいて、メモリ６２１から適宜画像データを読み出し、表示部２００で表示させる処理をする。表示させる画像データとしては、例えば、タッチパネルソース選択画面７００や地図情報、再生端末装置４００におけるコンテンツの処理状態、各種設定入力のための入力操作を促す画面、音声系の処理時における表示部２００で画面表示させる所定の画像データ、メニュー画面などが例示できる。
【００３４】
計時手段６２２Ｆは、例えば内部クロックなどの基準パルスに基づいて現在日時を認識する。そして、この計時手段６２２Ｆは、認識した現在日時に関する時刻情報を適宜出力する。
【００３５】
〔再生システムの動作〕
次に、上記実施の形態における再生システム１００の動作について、図面を参照して説明する。
【００３６】
まず、再生システム１００に電力が供給されると、再生装置６００の演算部６２２は表示制御手段６２２Ｅにより初期状態としてメモリ６２１に記憶されたメニュー画面を表示部２００に画面表示させる処理をし、利用者による動作設定の入力待機状態となる。なお、接続されている各再生端末装置４００は、利用者による動作設定の入力操作により、動作可能な動作待機状態となる。
さらに、演算部６２２は、ソース切替部６２２Ｂにより、処理状態における処理として、メモリ６２１から日時情報を取得するとともに、計時手段６２２Ｆから時刻情報を取得する。なお、既に案内誘導手段６２２Ｄにより車両の走行支援のための処理が実施、すなわちＧＰＳデータを取得している場合には、このＧＰＳデータに含まれる時刻情報を取得する。そして、ソース切替部６２２Ｂは、時刻情報の現在日時が日時情報の期間情報の中止する日時を過ぎている日時情報の有無を検索する。例えば、読み取った日時情報が、テレビチューナー部４３０に対応する特定情報と、地上波アナログテレビ放送波の配信が中止される２０１１年７月１日の０時に対応した「２０１１／０７／０１／００：００」と表される期間情報とを備えた構成で、現在時刻が２０１１年７月１日の０時を過ぎている場合、このテレビチューナー部４３０に対応する日時情報を検出する。
そして、検索により、現在日時が経過した日時情報がない場合には、入力待機状態を維持する。
【００３７】
一方、検索により、現在日時が既に過ぎている日時情報が検出された場合、ソース切替部６２２Ｂは、その日時情報の特定情報に基づき、動作させない再生端末装置４００、例えばテレビチューナー部４３０を認識する。この後、ソース切替部６２２Ｂは、図３に示すように、メモリ６２１に記憶された順番情報７１０におけるテレビチューナー部４３０を順番から外す処理をする。この処理としては、例えば次にテレビチューナー部４３０を動作させる処理を削除したり、フラグ情報を関連付けて順番を飛ばす状態としたりするなどの順番情報７１０を直接的に変更する処理の他、、テレビチューナー部４３０に切り替える旨の動作を実施しない状態に動作させない禁止情報を別途生成してメモリ６２１に記憶しておくなどが例示できる。
【００３８】
さらに、ソース切替部６２２Ｂは、このテレビチューナー部４３０を順番から外す処理と合わせ、図２に示すように、タッチパネルソース選択画面７００からテレビチューナー部４３０に対応するアイコン７０１を表示させない処理をする。
この処理としては、例えば、表示制御手段６２２Ｅにより、タッチパネルソース選択画面７００を表示させる際に、アイコン７０１にフラグ情報を関連付けて表示させないようにしたり、実質的に表示されない状態に背景と同模様を重ね合わせて表示させたりするなどの処理が例示できる。
【００３９】
そしてさらに、ソース切替部６２２Ｂは、テレビチューナー部４３０を順番から外す処理と合わせ、テレビチューナー部４３０が外部入力機器の扱いとして、操作部６１０の入力操作により再び動作可能な状態に設定するための入力操作を促す旨の設定画面が作製される。すなわち、ソース切替部６２２Ｂにより自動的に動作させない状態に設定されたテレビチューナー部４３０を、入力操作により手動で再び動作可能とさせるための図４に示すような設定画面が作製される。
具体的には、現在日時が２０１１年７月１日０時に至っていない場合には、例えば図４（Ａ）に示す設定入力画面７２０のように、外部入力機器としてビデオテーププレーヤ（Video Tape Recorder：ＶＴＲ）に対応するアイコン７２１，７２２に対応して、動作可能とするアイコン７２３である「ＯＮ」と、動作不可能とするアイコン７２４である「ＯＦＦ」が表示される状態に設定入力画面７２０が作製される。
一方、現在日時が２０１１年７月１日０時を過ぎている場合、例えば図４（Ｂ）に示す設定入力画面７２０のように、テレビチューナー部４３０に対応するアイコン７２５が追加されるとともに、このアイコンに対応して動作可能とするアイコン７２３である「ＯＮ」と、動作不可能とするアイコン７２４である「ＯＦＦ」が表示される状態に設定入力画面７２０が作製される。
このテレビチューナー部４３０のアイコン７２５に対応するアイコン７２３の位置でタッチパネルが操作されることで、ソース切替部６２２Ｂは、再びテレビチューナー部４３０が動作可能な状態、すなわち現在日時が日時情報の期間情報における中止する日時を経過していない従前の状態に設定する。
【００４０】
また、利用者がメニュー画面からタッチパネルを入力操作して図２に示すタッチパネルソース選択画面７００を画面表示させる旨が設定入力されると、演算部６２２は、表示制御手段６２２Ｅによりタッチパネルソース選択画面７００をメモリ６２１から読み取らせて表示部２００に画面表示させる処理をする。
このタッチパネルソース選択画面７００の表示の際、現在日時が２０１１年７月１日０時に至っていない場合には図２（Ａ）に示す状態に表示され、既に現在日時が２０１１年７月１日０時を過ぎている場合には、上述した処理により図２（Ｂ）に示す状態で表示される。
【００４１】
このタッチパネルソース選択画面７００に従って、所定のアイコン７０１に対応する位置でタッチパネルが押圧操作されると、演算部６２２は、切替要求認識手段６２２Ａにより、タッチパネル操作された位置に対応して表示されているアイコン７０１に対応する再生端末装置４００を動作させる状態に切り替える切替要求信号を認識する。この切替要求信号に応じて切替要求認識手段６２２Ａから出力される確認信号をソース切替部６２２Ｂが認識し、ソース切替部６２２Ｂはタッチパネル操作されたアイコン７０１に対応した再生端末装置４００を動作させる状態に切り替える切替要求信号に基づく確認信号により、対応する再生端末装置４００を動作させる切替処理をする。すなわち、動作させる再生端末装置４００へ電力を供給させて利用者による動作設定の入力待機状態にさせる。
この状態で操作部６１０の入力操作により、演算部６２２は入力操作に応じた動作設定に対応して再生端末装置４００を動作させる処理をする。すなわち、対応した再生端末装置４００に電力を供給し、利用者による動作設定の入力待機状態にさせる。
【００４２】
また、利用者が操作部６１０の切替ボタンを押動操作すると、演算部６２２は、ソースの切替処理を実施する。
すなわち、操作部６１０の切替ボタンが押動操作されると、演算部６２２の切替要求認識手段６２２Ａが切替ボタンの押動操作による操作部６１０からの切替要求信号を認識し、その旨の確認信号をソース切替部６２２Ｂへ出力する。
この確認信号を認識したソース切替部６２２Ｂは、現時点で選択されて動作している再生端末装置４００がいずれの再生端末装置４００か判断する。
【００４３】
そして、ソース切替部６２２Ｂが現時点で動作している再生端末装置４００がないと判断した場合、電源が投入される前に電源の供給により電源の供給が停止される直前に動作していた再生端末装置４００がいずれの再生端末装置４００かをメモリ６２１に記憶されているかを検索する。そして、従前に動作していた再生端末装置４００が認められた場合には、その従前の再生端末装置４００を動作させる設定をする。すなわち、従前の再生端末装置４００へ電力を供給させて利用者による動作設定の入力待機状態にさせる。
また、例えば初期状態など、メモリ６２１に従前に動作していた再生端末装置４００が記憶されていない場合には、例えば最初の順番となるラジオチューナー部４１０をＡＭ処理させる動作状態に設定をする。具体的には、操作部６１０の入力操作に応じた操作信号に基づく演算部６２２からの制御信号により、ラジオチューナー部４１０でＡＭ処理による所定の周波数帯の放送波であるラジオ放送波を受信させ、ラジオ放送波から音声データを抽出させて演算部６２２へ出力させる。そして、演算部６２２は、ラジオチューナー部４１０から取得した音声データを適宜増幅処理するなどしてスピーカ３００から出力させる。
【００４４】
一方、ソース切替部６２２Ｂが現時点で動作している再生端末装置４００がラジオチューナー部４１０でＡＭ処理していると判断した場合、他の再生端末装置４００、すなわち次の順番となるラジオチューナー部４１０でのＦＭ処理させる動作状態に設定をする。具体的には、操作部６１０の入力操作に応じた操作信号に基づく演算部６２２からの制御信号により、ラジオチューナー部４１０でＦＭ処理による所定の周波数帯の放送波であるラジオ放送波を受信させ、ラジオ放送波から音声データを抽出させて演算部６２２へ出力させる。そして、演算部６２２は、ラジオチューナー部４１０から取得した音声データを適宜増幅処理するなどしてスピーカ３００から出力させる。
【００４５】
また、ソース切替部６２２Ｂが現時点で動作している再生端末装置４００がラジオチューナー部４１０でＡＭ処理していると判断した場合、他の再生端末装置４００、すなわち次の順番となるテレビチューナー部４３０を動作状態とする設定をする。
ここで、現在日時が２０１１年７月１日０時に至っていない場合には、順番情報７１０に基づいてそのままテレビチューナー部４３０を動作、すなわち電力を供給してテレビ放送を再生させる処理をする。具体的には、演算部６２２は、操作部６１０の入力操作に応じた操作信号に基づく演算部６２２からの制御信号により、テレビチューナー部４３０で所定の周波数帯の放送波であるテレビ放送波を受信させ、テレビ放送波から音声データおよび映像データを抽出させて演算部６２２へ出力させる。そして、演算部６２２は、テレビチューナー部４３０から取得した音声データを適宜増幅処理するなどしてスピーカ３００から出力させるとともに、取得した映像データを音声と同期させて表示部２００で表示させる処理をする。
【００４６】
一方、現在日時が２０１１年７月１日０時を過ぎている場合、上述した処理により、テレビチューナー部４３０は、動作させない状態に処理されている。このことにより、ソース切替部６２２Ｂはテレビチューナー部４３０の次の順番となるＣＤ／ＤＶＤプレーヤ４２０でＣＤを処理する動作状態に設定する。また、ソース切替部６２２Ｂが現時点で動作している再生端末装置４００がテレビチューナー部４３０であると判断した場合も、他の再生端末装置４００である次の順番となるＣＤ／ＤＶＤプレーヤ４２０でＣＤを処理する動作状態に設定する。すなわち、従前に動作していたラジオチューナー部４１０やテレビチューナー部４３０への電力の供給を遮断するとともに、ＣＤ／ＤＶＤプレーヤ４２０に電力を供給して利用者による動作設定の入力待機状態にさせる。
具体的には、演算部６２２は、操作部６１０の入力操作に応じた操作信号に基づく制御信号により、ＣＤ／ＤＶＤプレーヤ４２０で装着されているＣＤから所定の楽曲データなどの音声データを読み取らせ、適宜処理させて演算部６２２へ出力させる。そして、演算部６２２は、ＣＤ／ＤＶＤプレーヤ４２０から取得した音声データを適宜増幅処理するなどしてスピーカ３００から出力させる。さらに、演算部６２２は、音声系でＣＤ／ＤＶＤプレーヤ４２０を動作制御していることから、表示制御手段６２２Ｅによりメモリ６２１から表示部２００で画面表示させる例えばＣＤ再生用などの所定の画像データを読み出して表示部２００で画面表示させる処理をする。
なお、ディスク判別部６２２ＣによりＣＤ／ＤＶＤプレーヤ４２０に装着されたディスク状記録媒体がＤＶＤであると判断した場合、利用者による要求であると判断し、ＣＤ／ＤＶＤプレーヤ４２０で装着されているＤＶＤを処理する構成に移行する。また、ソース切替部６２２Ｂが現時点で動作している再生端末装置４００がＣＤ／ＤＶＤプレーヤ４２０でＣＤを処理する動作していると判断した場合も、他の再生端末装置４００すなわち次の順番となるＣＤ／ＤＶＤプレーヤ４２０でＤＶＤを処理させる動作状態に設定する。
具体的には、演算部６２２は、操作部６１０の入力操作に応じた操作信号に基づく制御信号により、装着されているＤＶＤから所定の音声データおよび映像データを読み取らせ、適宜処理させて演算部６２２へ出力させる。そして、演算部６２２は、ＣＤ／ＤＶＤプレーヤ４２０から取得した音声データを適宜増幅処理するなどしてスピーカ３００から出力させるとともに、取得した映像データを音声と同期させて表示部２００で表示させる処理をする。
【００４７】
また、ソース切替部６２２Ｂが現時点で動作している再生端末装置４００がＣＤ／ＤＶＤプレーヤ４２０でＤＶＤを処理する動作していると判断した場合、他の再生端末装置４００すなわち次の順番となるＭＳＶ処理部４４０を動作させる状態に設定する。すなわち、従前に動作していたＣＤ／ＤＶＤプレーヤ４２０への電力の供給を遮断するとともに、ＭＳＶ処理部４４０に電力を供給して利用者による動作設定の入力待機状態にさせる。
具体的には、演算部６２２は、ＭＳＶ処理部４４０によりメモリ６２１からＭＳＶ用のプレイレストを読み出して、表示制御手段６２２Ｅにて表示部２００にプレイリストを画面表示させ、操作部６１０の入力操作に応じた操作信号に基づく制御信号により、選択された音楽データをメモリ６２１から適宜読み取らせ、適宜処理させて演算部６２２へ出力させる。そして、演算部６２２は、取得した音楽データを適宜増幅処理するなどしてスピーカ３００から出力させるとともに、表示制御手段６２２Ｅによりメモリ６２１から表示部２００で画面表示させる例えばＭＳＶ再生用などの所定の画像データを読み出して表示部２００で画面表示させる処理をする。
【００４８】
さらに、ソース切替部６２２Ｂが現時点で動作している再生端末装置４００がＭＳＶ処理部４４０であると判断した場合、他の再生端末装置４００すなわち次の順番となる最初の順番の上述したラジオチューナー部４１０を動作させる処理に移行する。
【００４９】
このようにして、操作部６１０の切替ボタンが操作されることで、現在日時が２０１１年７月１日０時に至っていない場合には、図３（Ａ）に示すように、ラジオチューナー部４１０のよるＡＭ処理→ラジオチューナー部４１０のよるＦＭ処理→テレビチューナー部４３０→ＣＤが装着されたＣＤ／ＤＶＤプレーヤ４２０→ＤＶＤが装着されたＣＤ／ＤＶＤプレーヤ４２０→ＭＳＶ処理部４４０→ラジオチューナー部４１０によるＡＭ処理に戻るループ状の順番で順次切り替わる。
また、現在日時が２０１１年７月１日０時を過ぎている場合、図３（Ｂ）に示すように、ラジオチューナー部４１０のよるＡＭ処理→ラジオチューナー部４１０のよるＦＭ処理→ＣＤが装着されたＣＤ／ＤＶＤプレーヤ４２０→ＤＶＤが装着されたＣＤ／ＤＶＤプレーヤ４２０→ＭＳＶ処理部４４０→ラジオチューナー部４１０によるＡＭ処理に戻るループ状の順番で順次切り替わる。
【００５０】
〔再生システムの作用効果〕
上述したように、上記実施の形態では、音声データや映像データなどのコンテンツデータを再生可能に処理する再生端末装置４００が複数接続される再生装置６００で、操作部６１０における利用者の入力操作にて、再生端末装置４００のいずれかに切り替える切替要求を切替要求認識手段６２２Ａが認識すると、ソース切替部６２２Ｂにより現時点で動作している再生端末装置４００と異なる他の再生端末装置４００を動作させる状態に切り替える処理をする構成で、ソース切替部６２２Ｂは、メモリ６２１に記憶され再生端末装置４００のいずれかである例えばテレビチューナー部４３０によるテレビ放送の再生処理を中止する日時に関する日時情報に基づいて、切り替える他の再生端末装置４００がコンテンツデータの処理の中止対象であるテレビチューナー部４３０である場合、計時手段６２２Ｆで計時する現在日時や案内誘導手段６２２Ｄにより走行支援のために取得したＧＰＳデータに含まれる現在日時が日時情報における中止する日時を経過していること認識すると、切り替える他の再生端末装置４００であるテレビチューナー部４３０を動作させない状態として、さらに他の再生端末装置４００である例えばＣＤ／ＤＶＤプレーヤ４２０を動作させる状態に切り替える処理をしている。
このため、例えばあらかじめ認知されている地上波アナログテレビジョン放送の配信中止以降では、あらかじめメモリ６２１に記憶された日時情報に基づいてテレビチューナー部４３０が自動的に動作しなくなるので、例えば配信中止以降でテレビチューナー部４３０に切り替わることにより配信されない周波数帯の電波を処理するなどの電力の不要な消費を防止できるとともに、テレビチューナー部４３０に切り替わらないように利用者が設定入力するなどの煩雑な作業を防止できる。したがって、使い勝手がよく不要な電力の消費を防止できる。
【００５１】
そして、操作部６１０での利用者の入力操作による切替要求を認識する毎に次に動作させる再生端末装置４００の順番に関する順番情報７１０をメモリ６２１に記憶させ、ソース切替部６２２Ｂにより順番情報７１０の順番に従って動作させる再生端末装置４００を順次切り替えている。
このため、現時点で動作させている再生端末装置４００を認識するなどの処理を実施することなく、順番情報７１０を記憶する簡単な構成で、順番情報７１０に基づいて次の再生端末装置４００を動作させる処理とすればよいので、容易に処理の迅速化が得られ、より良好な利用を提供できる。
【００５２】
また、ソース切替部６２２Ｂにより、日時情報に基づいて動作させない状態に設定した再生端末装置４００に対応し、表示部２００で表示制御手段６２２Ｅにより画面表示されるタッチパネルソース選択画面７００のアイコン７０１も画面表示させない状態に処理している。
このため、表示部２００による画面表示に従ってタッチパネルを操作して動作させる再生端末装置４００に切り替える処理が実施される構成で、表示内容とソース切替部６２２Ｂによる設定内容との齟齬が生じず、より使い勝手を向上できる。
【００５３】
さらに、ソース切替部６２２Ｂにより、日時情報に基づいて動作させない状態に設定した再生端末装置４００に対応し、操作部６１０の入力操作により再び動作可能な状態に設定するための入力操作を促す旨の設定入力画面７２０を表示制御手段６２２Ｅにて画面表示可能に作製している。
このため、例えば日時情報に基づいて動作させない状態に設定した再生端末装置４００でも、再び地上波アナログテレビ放送波の配信が開始されたり、配信が中止される日時が延期してしまってテレビ放送を再生できなくなるなどの不都合が生じても、設定入力画面７２０により手動操作で再び動作可能とでき、汎用性を向上できる。
【００５４】
そしてさらには、日時情報における期間情報を入力操作により変更可能としている。
このため、配信が中止される日時が延期してしまってテレビ放送を再生できなくなるなどの不都合が生じても、再び日情報を設定し直すことにより、テレビ放送を再生できなくなるなどの不都合を防止できる。
【００５５】
そして、ソース切替部６２２Ｂは、動作させない状態として、対象となる再生端末装置４００への電力の供給を遮断する処理をする。
このことにより、さらに不要な電力の消費を防止できる。
【００５６】
また、現在日時として、案内誘導手段６２２Ｄによる走行支援のための処理で利用するＧＰＳデータに含まれる時刻情報を取得して認識できる構成としている。
このため、計時手段６２２Ｆなどの現在日時を計時する構成を備えなくても、現在日時を認識することができ、構成の簡略化が容易に図れる。
【００５７】
そして、動作させる再生端末装置４００を設定する順番情報７１０として、ＡＭ処理およびＦＭ処理を連続させるとともに、ＣＤの処理およびＤＶＤの処理を連続させる順番に設定している。
このため、再生端末装置４００の切り替わりとしては、ラジオチューナー部４１０→テレビチューナー部４３０→ＣＤ／ＤＶＤプレーヤ４２０→ＭＳＶ処理部４４０→ラジオチューナー部４１０の４回のみとなり、より処理の迅速化が容易に得られる。
【００５８】
そして、演算部６２２として例えばＣＰＵなどを用いてプログラムとして構成しているので、プログラムをインストールすることで、不要な電力の消費を防止して再生端末装置４００の切替の使い勝手が良好な構成が容易に得られ、利用の拡大が容易に図れる。
なお、本発明における演算手段としては、１つのコンピュータに限らず、複数のコンピュータをネットワーク状に組み合わせた構成、上述したようなＣＰＵやマイクロコンピュータなどの素子、あるいは複数の電子部品が搭載された回路基板などをも含む。
【００５９】
〔実施形態の変形〕
なお、本発明は、上述した一実施の形態に限定されるものではなく、本発明の目的を達成できる範囲で以下に示される変形をも含むものである。
【００６０】
すなわち、車両に搭載される構成に限らず、家庭用設置タイプなど、各種形態に適用できる。
また、テレビチューナー部４３０の動作を所定日時から中止する構成を例示したが、他のいずれの再生端末装置４００を対象とすることができ、１つのみに限らず、複数としてもよい。そして、複数の場合、それぞれが異なる中止日時で設定されてもよい。
さらに、テレビチューナー部４３０として、地上波アナログテレビ放送波のみに限らず、例えば地上波デジタルテレビ放送波や衛星放送波なども受信可能として、配信が停止される地上波アナログテレビ放送波のみ処理するループから外す構成としてもよい。
また、中止させる日時から動作させない構成としたが、例えば期間情報として、所定期間のみ動作させない構成としてもよい。すなわち、中止する期間が経過した場合には、再び動作可能な状態に設定する構成としてもよい。
【００６１】
そして、操作部６１０の切替ボタンの操作により順番情報７１０に基づいて動作させる再生端末装置４００を順次切り替える構成と、タッチパネルによる入力操作に応じて動作させる再生端末装置４００を切り替える構成の双方を実施する構成を例示したが、いずれか一方のみの構成としてもよい。
また、タッチパネルソース選択画面７００を表示させ、動作させない再生端末装置４００に対応するアイコン７０１を合わせて表示させない構成としたが、この処理を実施しない構成とすることも可能である。さらには、タッチパネルソース選択画面７００自体を表示させない構成としてもよい。
【００６２】
そして、順番情報７１０として順番を変更可能としてもよい。この構成によれば、利用者の思考に応じた切替状態を提供でき、汎用性の向上も図れる。
また、メモリ６２１に順番情報７１０を記憶し、この順番に従って切り替える構成を例示したが、順番情報を利用する構成に限らない。
【００６３】
上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、取扱が容易で、利用の拡大が容易に図れる。
【００６４】
その他、本発明の実施の際の具体的な構造は、本発明の目的を達成できる範囲で他の構造などに適宜変更できる。
【００６５】
〔実施の形態の効果〕
上述したように、上記一実施の形態では、コンテンツデータを再生可能に処理する再生端末装置４００が複数接続される再生装置６００で、操作部６１０における利用者の入力操作にて、再生端末装置４００のいずれかに切り替える切替要求を切替要求認識手段６２２Ａが認識すると、ソース切替部６２２Ｂにより現時点で動作している再生端末装置４００と異なる他の再生端末装置４００を動作させる状態に切り替える処理をする構成で、ソース切替部６２２Ｂは、メモリ６２１に記憶され再生端末装置４００のいずれかである例えばテレビチューナー部４３０によるテレビ放送の再生処理を中止する日時に関する日時情報に基づいて、切り替える他の再生端末装置４００がコンテンツデータの処理の中止対象であるテレビチューナー部４３０である場合、計時手段６２２Ｆで計時する現在日時や案内誘導手段６２２Ｄにより走行支援のために取得したＧＰＳデータに含まれる現在日時が日時情報における中止する日時を経過していること認識すると、切り替える他の再生端末装置４００であるテレビチューナー部４３０を動作させない状態として、さらに他の再生端末装置４００である例えばＣＤ／ＤＶＤプレーヤ４２０を動作させる状態に切り替える処理をしている。
このため、例えばあらかじめ認知されている地上波アナログテレビジョン放送の配信中止以降では、あらかじめメモリ６２１に記憶された日時情報に基づいてテレビチューナー部４３０が自動的に動作しなくなるので、例えば配信中止以降でテレビチューナー部４３０に切り替わることにより配信されない周波数帯の電波を処理するなどの電力の不要な消費を防止できるとともに、テレビチューナー部４３０に切り替わらないように利用者が設定入力するなどの煩雑な作業を防止できる。したがって、使い勝手がよく不要な電力の消費を防止できる。
【図面の簡単な説明】
【００６６】
【図１】本発明の一実施の形態における再生システムの概略構成を示すブロック図である。
【図２】前記実施の形態における再生システムでのタッチパネルソース選択画面の切り替わり状態を示す説明図である。
【図３】前記実施の形態における再生システムでのソースの切替処理の動作を示す説明図である。
【図４】前記実施の形態における再生システムでの設定入力画面の切り替わり状態を示す説明図である。
【符号の説明】
【００６７】
１００……再生装置としても機能する再生システム
２００……出力装置としての表示部
３００……出力装置としてのスピーカ
４００……再生端末装置
４１０……再生端末装置であるラジオチューナー部
４２０……再生端末装置であるＣＤ／ＤＶＤプレーヤ
４３０……再生端末装置であるテレビチューナー部
４４０……再生端末装置であるＭＳＶ処理部
５００……現在日時認識手段としても機能するセンサ部
６００……再生装置
６１０……操作手段としての操作部
６２１……記憶手段としてのメモリ
６２２……演算手段としての切替制御装置である演算部
６２２Ａ…切替要求認識手段
６２２Ｂ…ソース切替手段としてのソース切替部
６２２Ｄ…案内誘導手段
６２２Ｅ…表示制御手段
６２２Ｆ…現在日時認識手段としての計時手段
【図１】
2007201531.tif 000003
【図２】
2007201531.tif 000004
【図３】
2007201531.tif 000005
【図４】
2007201531.tif 000006